(57)【要約】  本発明は無線通信技術分野に関し、特に、ビームをトレーニングする方法及び装置に関し、既存のビームトレーニングプロセスは非常に時間がかかり、トレーニング信号のかなりのオーバーヘッドを有し、そしてかなり非効率的である従来の問題点を解決する。本発明の実施例に係る送信装置は、送信ビームトレーニング信号を２回で送信する。最初に、送信送信ビームトレーニング信号は、受信装置が選択された受信ビームで送信ビームを選択して報告するためである。二番目の送信は、送信装置は受信装置の送信ビーム情報報告に従って受信ビームトレーニング信号を送信して受信装置の受信ビームをトレーニングする。本発明に係る実施例では、すべてのビームを一度トレーニングするのではなく、インタラクション式で、ビームトレーニングを介して最適な送信および受信ビームを逐次探して、ビームトレーニングの時間およびオーバーヘッドを節約し、効率を改善する。
2019531635.tif 000002
【特許請求の範囲】
【請求項１】
送信装置が、送信ビームトレーニング信号に対応する送信ビームを確定するステップと、
前記送信装置が、前記送信ビームトレーニング信号に対応する送信ビームを使用して、前記送信ビームトレーニング信号を受信装置に送信するステップと、
前記送信装置が、受信ビームトレーニング信号に対応する送信ビームを確定するステップと、
前記送信装置が、前記受信ビームトレーニング信号に対応する送信ビームを使用して、前記受信ビームトレーニング信号を前記受信装置に送信するステップとを備えることを特徴とするビームをトレーニングする方法。
【請求項２】
前記送信装置が受信ビームトレーニング信号に対応する送信ビームを確定する場合、
前記送信装置は、受信された前記受信装置によりフィードバックされた送信ビーム情報報告に基づき、受信ビームトレーニング信号に対応する送信ビームを確定することを特徴とする請求項１に記載のビームをトレーニングする方法。
【請求項３】
前記送信装置は、受信ビームトレーニング信号に対応する送信ビームを確定した後、
前記送信装置は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信することを特徴とする請求項１に記載のビームをトレーニングする方法。
【請求項４】
前記送信ビームトレーニング信号に対応する送信ビームは、全部の送信ビーム、または、一部の送信ビームを含み、
前記一部の送信ビームは、全部の送信ビームから抽出された少なくとも１つの方向の送信ビームであり、及び/または、
前記受信装置によってフィードバックされた受信送信ビーム情報報告に基づいて送信装置によって確定された少なくとも１つの送信ビームの隣接方向の送信ビームであり、前記送信ビーム情報報告に対応する送信ビームは、前記受信装置が受信された送信ビームトレーニング信号により選択された送信ビームであることを特徴とする請求項１に記載のビームをトレーニングする方法。
【請求項５】
前記送信装置が、前記送信ビームトレーニング信号に対応する送信ビームを使用して、前記送信ビームトレーニング信号を、受信装置に送信する前、
前記送信装置は、前記受信装置が、第１の送信ビーム情報に基づき、前記送信ビームに対応するビームトレーニング信号を受信するように、前記送信ビームトレーニング信号に対応する送信ビームの第１の送信ビーム情報を前記受信装置に送信することを特徴とする請求項１に記載のビームをトレーニングする方法。
【請求項６】
前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含むことを特徴とする請求項５に記載のビームをトレーニングする方法。
【請求項７】
前記送信装置が、前記受信ビームトレーニング信号に対応する送信ビームを使用して、前記受信ビームトレーニング信号を前記受信装置に送信する前、
前記送信装置は、前記受信装置が、第２の送信ビーム情報に基づき、確定された送信ビームに対応する受信ビームトレーニング信号を受信するように、前記受信ビームトレーニング信号に対応する送信ビームの第２の送信ビーム情報を前記受信装置に送信することを特徴とする請求項１または請求項５に記載のビームをトレーニングする方法。
【請求項８】
前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含むことを特徴とする請求項７に記載のビームをトレーニングする方法。
【請求項９】
前記送信装置は、前記第１の送信ビーム情報及び前記第２の送信ビーム情報を異なるシグナリングに含ませて前記受信装置に送信し、または、
前記送信装置は、前記第１の送信ビーム情報及び前記第２の送信ビーム情報を同一のシグナリングに含ませて前記受信装置に送信することを特徴とする請求項７に記載のビームをトレーニングする方法。
【請求項１０】
前記送信装置が、前記受信ビームトレーニング信号に対応する送信ビームを使用して、前記受信ビームトレーニング信号を前記受信装置に送信する場合、
前記受信装置が１つの受信ビームで１つの送信ビームに対応する受信ビームトレーニング信号を受信するとき、前記送信装置は、前記受信ビームトレーニング信号を数回送信することを特徴とする請求項１に記載のビームをトレーニングする方法。
【請求項１１】
前記送信装置により受信された送信ビーム情報報告に送信装置の識別番号が含まれば、前記送信装置は、前記送信装置の識別番号に基づき、受信された前記送信ビーム情報報告に対応する送信ビームの所属の送信装置を確定し、
前記送信装置により受信された前記送信ビーム情報報告に送信装置の識別番号が含まれず、かつ前記送信ビーム情報報告に送信ビームトレーニング信号のインデックスが含まれば、前記送信装置は、前記送信ビーム情報報告に含まれる送信ビームトレーニング信号のインデックスと所属する送信装置との対応関係に基づき、受信された前記送信ビーム情報報告に対応する送信ビームの所属の送信装置を確定することを特徴とする請求項１に記載のビームをトレーニングする方法。
【請求項１２】
前記送信装置は、前記送信ビームトレーニング信号に対応する送信ビームを使用して、前記送信ビームトレーニング信号を、受信装置に送信するステップを周期的または非周期的に実行し、及び/または、
前記送信装置は、前記受信ビームトレーニング信号に対応する送信ビームを使用して、前記受信ビームトレーニング信号を前記受信装置に送信するステップを周期的または非周期的に実行することを特徴とする請求項１ないし請求項１１のいずれか１項に記載のビームをトレーニングする方法。
【請求項１３】
受信装置が、少なくとも１つの受信ビームにより、送信装置からの送信ビームに対応する送信ビームトレーニング信号を受信するステップと、
前記受信装置が、前記送信ビームトレーニング信号に対応する送信ビームから少なくとも１つの送信ビームを選択して、選択された第１の送信ビームにより確定された送信ビーム情報報告を前記送信装置にフィードバックするステップと、
前記受信装置が、少なくとも１つの受信ビームにより、前記送信装置から送信された受信ビームトレーニング信号を受信するステップと、
前記受信装置が、少なくとも１つの受信ビームにより受信されたビームトレーニング信号に基づき、少なくとも１つの受信ビームを選択された受信ビームとして確定するステップとを備えることを特徴とするビームをトレーニングする方法。
【請求項１４】
前記受信装置が、少なくとも１つの受信ビームを選択された受信ビームとして確定した後、
前記受信装置は、次回の受信ビームトレーニング信号を受信する前、選択された受信ビームを使用して前記送信装置からのデータを受信することを特徴とする請求項１３に記載のビームをトレーニングする方法。
【請求項１５】
前記送信ビーム情報報告には、選択された送信ビームにより確定されたビームトレーニング信号のリソースインデックスが含まれることを特徴とする請求項１３に記載のビームをトレーニングする方法。
【請求項１６】
前記受信装置が、少なくとも１つの受信ビームにより、送信装置からの送信ビームに対応する送信ビームトレーニング信号を受信する前、
前記受信装置は、第１の送信ビーム情報を確定し、
前記受信装置が、少なくとも１つの受信ビームにより、送信装置からの送信ビームに対応する送信ビームトレーニング信号を受信する場合、
前記受信装置は、第１の送信ビーム情報に基づき、少なくとも１つの受信ビームにより、送信装置からの送信ビームに対応する送信ビームトレーニング信号を受信することを特徴とする請求項１３に記載のビームをトレーニングする方法。
【請求項１７】
前記受信装置が第１の送信ビーム情報を確定する場合、
前記受信装置は、送信装置からの第１の送信ビーム情報を受信することを確定することを特徴とする請求項１６に記載のビームをトレーニングする方法。
【請求項１８】
前記受信装置が、前記送信ビームトレーニング信号に対応する送信ビームから少なくとも１つの送信ビームを選択する場合、
前記受信装置は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、
前記受信装置は、異なる受信ビーム受信された受信ビームトレーニング信号により、少なくとも１つの受信ビームを選択された受信ビームとして確定する場合、
前記受信装置は、少なくとも１つの受信ビームにより受信された受信ビームトレーニング信号のパフォーマンスインデックスパラメータに基づき、受信ビームから少なくとも１つの受信ビームを選択された受信ビームとして確定することを特徴とする請求項１３に記載のビームをトレーニングする方法。
【請求項１９】
前記パフォーマンスインデックスパラメータには、受信電力及び/または、受信信号対雑音比が含まれることを特徴とする請求項１８に記載のビームをトレーニングする方法。
【請求項２０】
前記受信装置が、少なくとも１つの受信ビームにより、送信装置からの送信ビームに対応する送信ビームトレーニング信号を受信する場合、
前記受信装置に選択された受信ビーム情報がなければ、前記受信装置は、１つまたは複数の受信ビームを使用して、送信装置からのそれぞれの送信ビームに対応する送信ビームトレーニング信号を受信し、または、
前記受信装置に選択された受信ビーム情報があり、かつ受信ビームが１つの送信ビームに対応する送信ビームトレーニング信号を受信すれば、前記受信装置は、１つまたは複数の受信ビームを使用して、送信装置からの送信ビームに対応する送信ビームトレーニング信号を受信し、または、
前記受信装置に選択された受信ビーム情報があり、かつ複数の受信ビームで１つの送信ビームに対応する送信ビームトレーニング信号を受信すれば、前記受信装置は、選択された受信ビーム情報に対応する複数の受信ビームを使用して、送信装置からのそれぞれの送信ビームに対応する送信ビームトレーニング信号を受信することを特徴とする請求項１３に記載のビームをトレーニングする方法。
【請求項２１】
前記受信装置が、前記送信ビームトレーニング信号に対応する送信ビームから少なくとも１つの送信ビームを選択した後、かつ、選択された送信ビームにより確定された送信ビーム情報報告を前記送信装置にフィードバックする前、
第１の送信ビーム情報に送信装置の識別番号が含まれれば、前記受信装置は、選択された送信ビームの所属の送信装置の識別番号を前記送信ビーム情報報告に含ませることを特徴とする請求項１３に記載のビームをトレーニングする方法。
【請求項２２】
前記受信装置が、少なくとも１つの受信ビームにより、前記送信装置から送信された受信ビームトレーニング信号を受信する前、
前記受信装置は、第２の送信ビーム情報を確定し、
前記受信装置が、少なくとも１つの受信ビームにより、前記送信装置から送信された受信ビームトレーニング信号を受信する場合、
前記受信装置は、第２の送信ビーム情報に基づき、少なくとも１つの受信ビームにより、前記送信装置から送信された受信ビームトレーニング信号を受信することを特徴とする請求項１３に記載のビームをトレーニングする方法。
【請求項２３】
前記受信装置が第２の送信ビーム情報を確定する場合、
前記受信装置は、送信装置からの第２の送信ビーム情報を受信することを特徴とする請求項２２に記載のビームをトレーニングする方法。
【請求項２４】
前記受信装置は、少なくとも１つの受信ビームにより、送信装置からの送信ビームに対応する受信ビームトレーニング信号を受信する場合、
前記受信装置が送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、
前記受信装置が送信装置からの１つの送信ビームに対応する受信ビームトレーニング信号を受信するとき、複数の受信ビームで１つの送信ビームに対応する受信ビームトレーニング信号を受信することを特徴とする請求項１３に記載のビームをトレーニングする方法。
【請求項２５】
送信ビームトレーニング信号に対応する送信ビームを確定する第１のビーム確定モジュールと、
前記第１のビーム確定モジュールにより確定された送信ビームを使用して前記送信ビームトレーニング信号を受信装置に送信し、かつ、第２のビーム確定モジュールにより確定された送信ビームを使用して受信ビームトレーニング信号を前記受信装置に送信する送信モジュールと、
受信ビームトレーニング信号に対応する送信ビームを確定する第２のビーム確定モジュールとを備えることを特徴とするビームをトレーニングする送信装置。
【請求項２６】
前記第２のビーム確定モジュールは、
受信された前記受信装置によりフィードバックされた送信ビーム情報報告に基づき、受信ビームトレーニング信号に対応する送信ビームを確定することを特徴とする請求項２５に記載のビームをトレーニングする送信装置。
【請求項２７】
前記送信モジュールは、
次回の前記受信装置によりフィードバックされた送信ビーム情報報告を受信する前、前記受信装置によりフィードバックされた送信ビーム情報報告に基づいて確定された送信ビームを使用して前記受信装置にデータを送信することを特徴とする請求項２５に記載のビームをトレーニングする送信装置。
【請求項２８】
前記送信モジュールは、
前記受信装置が第１の送信ビーム情報に基づいて前記送信ビームに対応するビームトレーニング信号を受信するように、前記送信ビームに対応する第１の送信ビーム情報を前記受信装置に送信し、及び/または、
前記受信装置が前記第２の送信ビーム情報に基づいて確定された送信ビームに対応する受信ビームトレーニング信号を受信するように、前記送信ビームに対応する第２の送信ビーム情報を前記受信装置に送信することを特徴とする請求項２５に記載のビームをトレーニングする送信装置。
【請求項２９】
前記送信モジュールは、
前記第１の送信ビーム情報及び前記第２の送信ビーム情報を異なるシグナリングに含ませて前記受信装置に送信し、または、
前記第１の送信ビーム情報及び前記第２の送信ビーム情報を同一のシグナリングに含ませて前記受信装置に送信することを特徴とする請求項２８に記載のビームをトレーニングする送信装置。
【請求項３０】
前記送信モジュールは、
前記第１のビーム確定モジュールによって確定された送信ビームを使用して送信ビームトレーニング信号を受信装置に送信ステップを周期的または非周期的に実行し、及び/または、
第２のビーム確定モジュールにより確定された送信ビームを使用して前記受信ビームトレーニング信号を前記受信装置に送信するステップを周期的または非周期的に実行することを特徴とする請求項２５ないし請求項２９のいずれか１項に記載のビームをトレーニングする送信装置。
【請求項３１】
少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受信する信号受信モジュールと、
前記送信ビームトレーニング信号に対応する送信ビームから少なくとも１つの送信ビームを選択して、選択された第１の送信ビームにより確定された送信ビーム情報報告を前記送信装置にフィードバックする第１の処理モジュールと、
少なくとも１つの受信ビームにより受信されたビームトレーニング信号に基づき、少なくとも１つの受信ビームを選択された受信ビームとして確定する第２の処理モジュールと、を備えることを特徴とするビームをトレーニングする受信装置。
【請求項３２】
前記信号受信モジュールは、
次回の受信ビームトレーニング信号を受信する前、選択された受信ビームを使用して前記送信装置からのデータを受信することを特徴とする請求項３１に記載のビームをトレーニングする受信装置。
【請求項３３】
前記信号受信モジュールは、
第１の送信ビーム情報を確定し、
第１の送信ビーム情報に基づき、少なくとも１つの受信ビームにより、送信装置からの送信ビームに対応する送信ビームトレーニング信号を受信することを特徴とする請求項３１に記載のビームをトレーニングする受信装置。
【請求項３４】
前記第１の処理モジュールは、
受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、
前記第２の処理モジュールは、
少なくとも１つの受信ビームにより受信された受信ビームトレーニング信号のパフォーマンスインデックスパラメータに基づき、受信ビームから少なくとも１つの受信ビームを選択された受信ビームとして確定することを特徴とする請求項３１に記載のビームをトレーニングする受信装置。
【請求項３５】
前記信号受信モジュールは、
前記受信装置に選択された受信ビーム情報がなければ、１つまたは複数の受信ビームを使用して、送信装置からのそれぞれの送信送信装置からのそれぞれの送信ビームに対応する送信ビームトレーニング信号を受信し、または、
前記受信装置に選択された受信ビーム情報があり、かつ受信ビームが１つの送信ビームに対応する送信ビームトレーニング信号を受信すれば、選択された受信ビーム情報に対応する受信ビームを使用して、送信装置からの送信ビームに対応する送信ビームトレーニング信号を受信し、または、
前記受信装置に選択された受信ビーム情報があり、かつ複数の受信ビームで１つの送信ビームに対応する送信ビームトレーニング信号を受信すれば、選択された受信ビーム情報に対応する複数の受信ビームを使用して、送信装置からのそれぞれの送信ビームに対応する送信ビームトレーニング信号を受信することを特徴とする請求項３１に記載のビームをトレーニングする受信装置。
【請求項３６】
前記信号受信モジュールは、
送信装置からの第２の送信ビーム情報を受信し、
第２の送信ビーム情報に基づき、少なくとも１つの受信ビームにより、前記送信装置から送信された受信ビームトレーニング信号を受信することを特徴とする請求項３１に記載のビームをトレーニングする受信装置。
【請求項３７】
プロセッサと、メモリと、送受信機とを備え、前記送受信機はプロセッサの制御によりデータを送受信し、前記メモリにプリセットされたプログラムが格納されており、
前記プロセッサは、メモリに格納されたプログラムを読み出し、
送信ビームトレーニング信号に対応する送信ビームを確定し、
送受信機を介して前記第１のビーム確定モジュールによって確定された送信ビームを使用して送信ビームトレーニング信号を受信装置に送信し、
送受信機を介して前記第２のビーム確定モジュールによって確定された送信ビームを使用して前記受信ビームトレーニング信号を前記受信装置に送信し、
受信ビームトレーニング信号に対応する送信ビームを確定することを特徴とする送信装置。
【請求項３８】
プロセッサと、メモリと、送受信機とを備え、
前記送受信機は、プロセッサの制御によりデータを送受信し、前記メモリにプリセットされたプログラムが格納されており、
前記プロセッサは、メモリに格納されたプログラムを読み出し、
送受信機を介して、少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受信し、
前記送信ビームトレーニング信号に対応する送信ビームから少なくとも１つの送信ビームを選択して、送受信機を介して、選択された第１の送信ビームにより確定された送信ビーム情報報告を、前記送信装置にフィードバックし、
送受信機を介して、少なくとも１つの受信ビームにより受信されたビームトレーニング信号に基づき、少なくとも１つの受信ビームを選択された受信ビームとして確定することを特徴とする受信装置。
【請求項３９】
請求項１ないし請求項１２のいずれか１項に記載の方法をコンピュータに実行させるように構成されたコンピュータ実行可能命令を格納することを特徴とするコンピュータ記憶媒体。
【請求項４０】
請求項１３ないし請求項２４のいずれか１項に記載の方法をコンピュータに実行させるように構成されたコンピュータ実行可能命令を格納することを特徴とするコンピュータ記憶媒体。
【発明の詳細な説明】
【技術分野】
【０００１】
本発明は通信技術分野に関し、特に、ビームをトレーニングする方法及び装置に関する。
【背景技術】
【０００２】
現在、多入力多出力（Ｍｕｌｔｉ−Ｉｎｐｕｔ  Ｍｕｌｔｉ−Ｏｕｔｐｕｔ，ＭＩＭＯ）技術をさらに改善するために、大規模アンテナ技術が移動通信システムに導入された。基地局内の大規模アンテナアレイは、５１２個または１０２４個のアンテナ素子を含むことができる。全桁アンテナのアレイ内の各アンテナ素子は、送受信ユニット（ＴＸＲＵ）と接続されており、このようにして、５１２またはさらには１０２４のＴＸＲＵがあり得る。端末は、３２個または６４個のアンテナ素子を含むアンテナのアレイを用いて構成することもできる。ビームフォーミングは、かなりのビームフォーミングゲインのために基地局とユーザ機器の両方に適用され、それによって経路損失から生じる信号減衰を補うことができる。特に、高周波帯域（例えば、周波数３０ＧＨｚ以上）においては、低周波帯域におけるものよりもさらに深刻な経路損失があるので、無線信号のカバーエリアは非常に限られている。大規模アンテナアレイ用のビーム形成技術を用いて、無線信号のカバレージエリアを実用的なカバレージエリアに拡張することができる。
【０００３】
アナログビームフォーミングの性能をさらに改善するために、ハイブリッドデジタルおよびアナログビームフォーミングを用いた送信および受信号の解決策もあり、この解決策では、デジタルビームフォーミングの柔軟性の間にトレードオフがある。アナログビームフォーミングの複雑さが低いため、複数のデータフローおよび複数のユーザ機器の同時ビームフォーミングをサポートすることができ、また複雑さも妥当な範囲で制御することができる。
【０００４】
既存のアナログビームフォーミングおよび既存のハイブリッドデジタルおよびアナログビームフォーミングの両方は、送信ビームおよび受信ビームのアナログビームフォーミング重みを調整して、それらの結果として生じるビームが互いに通信方向を向けることができる。ダウンリンク送信に関しては、送信基地局側のビームフォーミング重み、および受信ユーザ機器のビームフォーミング重みが調整されなければならない。アップリンク送信では、送信側ユーザ装置のビームフォーミング重み、および受信基地局側のビームフォーミング重みを調整すること。ビームフォーミング重みは通常、トレーニング信号を送信することによって得られる。
【０００５】
通常、すべての送信ビームは、受信端が最適な送信ビームを探すように既存のアナログビームトレーニングプロセスでトラバースして送信され、各送信ビームは、受信端が受信ビームを調整して、最適受信ビームを探すように繰り返し送信されるため、最適な送信および受信ビームを探すことは非常に時間がかかり、ビームトレーニングプロセスにおいてトレーニング信号のかなりのオーバーヘッドがあり、効率が低い。
【０００６】
要約すると、既存のビームトレーニングプロセスは非常に時間がかかり、トレーニング信号のかなりのオーバーヘッドを有し、そしてかなり非効率的である。
【発明の概要】
【発明が解決しようとする課題】
【０００７】
本発明の実施例は、ビームをトレーニングする方法及び装置を提供し、既存のビームトレーニングプロセスは非常に時間がかかり、トレーニング信号のかなりのオーバーヘッドを有し、そしてかなり非効率的であるという従来の問題点を解決する。
【０００８】
第１の態様によれば、本発明の実施例に係るビームをトレーニングする方法は、
送信装置が、送信ビームトレーニング信号に対応する送信ビームを確定するステップと、
前記送信装置が、前記送信ビームトレーニング信号に対応する送信ビームを使用して、前記送信ビームトレーニング信号を受信装置に送信するステップと、
前記送信装置が、受信ビームトレーニング信号に対応する送信ビームを確定するステップと、
前記送信装置が、前記受信ビームトレーニング信号に対応する送信ビームを使用して、前記受信ビームトレーニング信号を前記受信装置に送信するステップとを備える。
【０００９】
好ましくは、前記送信装置が受信ビームトレーニング信号に対応する送信ビームを確定する場合、前記送信装置は、受信された前記受信装置によりフィードバックされた送信ビーム情報報告に基づき、受信ビームトレーニング信号に対応する送信ビームを確定する。
【００１０】
好ましくは、前記送信装置は、受信ビームトレーニング信号に対応する送信ビームを確定した後、前記送信装置は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【００１１】
好ましくは、前記送信ビームトレーニング信号に対応する送信ビームは、全部の送信ビーム、または、一部の送信ビームを含み、ここで前記一部の送信ビームは、全部の送信ビームから抽出された少なくとも１つの方向の送信ビームであり、及び/または、前記受信装置によってフィードバックされた受信送信ビーム情報報告に基づいて送信装置によって確定された少なくとも１つの送信ビームの隣接方向の送信ビームであり、前記送信ビーム情報報に対応する送信ビームは、前記受信装置が受信された送信ビームトレーニング信号により選択された送信ビームである。
【００１２】
好ましくは、前記送信装置が、前記送信ビームトレーニング信号に対応する送信ビームを使用して、前記送信ビームトレーニング信号を、受信装置に送信する前、前記送信装置は、前記受信装置が、前記第１の送信ビーム情報に基づき、前記送信ビームに対応するビームトレーニング信号を受信するように、前記送信ビームトレーニング信号に対応する送信ビームの第１の送信ビーム情報を前記受信装置に送信する。
【００１３】
好ましくは、前記第１の送信ビーム情報は、送信ビームトレーニング信号の数と、各送信ビームトレーニング信号のインデックスと各送信ビームトレーニング信号により占有されるリソースと、各送信ビームトレーニング信号の周期と、各送信ビームトレーニング信号のトリガー情報と、各受信ビームトレーニング信号の開始情報和各受信ビームトレーニング信号の終了情報と、送信ビームトレーニング信号に対応する送信装置の識別番号とのうちの一部または全部を含む。
【００１４】
好ましくは、前記送信装置が、前記受信ビームトレーニング信号に対応する送信ビームを使用して、前記受信ビームトレーニング信号を前記受信装置に送信する前、前記送信装置は、前記受信装置が、前記第２の送信ビーム情報に基づき、確定された送信ビームに対応する受信ビームトレーニング信号を受信するように、前記受信ビームトレーニング信号に対応する送信ビームの第２の送信ビーム情報を前記受信装置に送信する。
【００１５】
好ましくは、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含む。
【００１６】
好ましくは、前記送信装置は、前記第１の送信ビーム情報及び前記第２の送信ビーム情報を異なるシグナリングに含ませて前記受信装置に送信し、または、前記送信装置は、前記第１の送信ビーム情報及び前記第２の送信ビーム情報を同一のシグナリングに含ませて前記受信装置に送信する。
【００１７】
好ましくは、前記送信装置が確定された送信ビームで前記受信ビームトレーニング信号を前記受信装置に送信する場合、前記受信装置が１つの受信ビームで１つの送信ビームに対応する受信ビームトレーニング信号を受信するとき、前記送信装置は、前記受信ビームトレーニング信号を数回送信する。
【００１８】
好ましくは、前記方法では、前記送信装置により受信された前記送信ビーム情報報告に送信装置の識別番号が含まれば、前記送信装置は、前記送信装置の識別番号に基づき、受信された前記送信ビーム情報報告に対応する送信ビームの所属の送信装置を確定し、前記送信装置により受信された前記送信ビーム情報報告に送信装置の識別番号が含まれず、かつ前記送信ビーム情報報告に送信ビームトレーニング信号のインデックスが含まれば、前記送信装置は、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【００１９】
好ましくは、前記送信装置は、前記送信ビームトレーニング信号に対応する送信ビームを使用して、前記送信ビームトレーニング信号を、受信装置に送信するステップを周期的または非周期的に実行し、及び/または、前記送信装置は、前記受信ビームトレーニング信号に対応する送信ビームを使用して、前記受信ビームトレーニング信号を前記受信装置に送信するステップを周期的または非周期的に実行する。
【００２０】
第２の態様によれば、本発明の実施例に係るビームをトレーニングする方法は、受信装置は、少なくとも１つの受信ビームにより、送信装置からの送信ビームに対応する送信ビームトレーニング信号を受信するステップと、前記受信装置は、前記送信ビームトレーニング信号に対応する送信ビームから少なくとも１つの送信ビームを選択して、選択された第１の送信ビームにより確定された送信ビーム情報報告を前記送信装置にフィードバックするステップと、前記受信装置は、少なくとも１つの受信ビームにより、前記送信装置から送信された受信ビームトレーニング信号を受信するステップと、前記受信装置は、少なくとも１つの受信ビームにより受信されたビームトレーニング信号に基づき、少なくとも１つの受信ビームを選択された受信ビームとして確定するステップとを備える。
【００２１】
好ましくは、前記受信装置が、少なくとも１つの受信ビームを選択された受信ビームとして確定した後、前記受信装置は、次回の受信ビームトレーニング信号を受信する前、選択された受信ビームを使用して前記送信装置からのデータを受信する。
【００２２】
好ましくは、前記送信ビーム情報報告には、選択された送信ビームにより確定されたビームトレーニング信号のリソースインデックスが含まれる。
【００２３】
好ましくは、前記受信装置が、少なくとも１つの受信ビームにより、送信装置からの送信ビームに対応する送信ビームトレーニング信号を受信する前、前記受信装置は、第１の送信ビーム情報を確定し、前記受信装置が、少なくとも１つの受信ビームにより、送信装置からの送信ビームに対応する送信ビームトレーニング信号を受信する場合、前記受信装置は、第１の送信ビーム情報に基づき、少なくとも１つの受信ビームにより、送信装置からの送信ビームに対応する送信ビームトレーニング信号を受信する。
【００２４】
好ましくは、前記受信装置が第１の送信ビーム情報を確定する場合、前記受信装置は、送信装置からの第１の送信ビーム情報を受信するを確定する。
【００２５】
好ましくは、前記受信装置が、前記送信ビームトレーニング信号に対応する送信ビームから少なくとも１つの送信ビームを選択する場合、前記受信装置は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、前記受信装置が、異なる受信ビーム受信された受信ビームトレーニング信号により、少なくとも１つの受信ビームを選択された受信ビームとして確定する場合、前記受信装置は、少なくとも１つの受信ビームにより受信された受信ビームトレーニング信号のパフォーマンスインデックスパラメータに基づき、受信ビームから少なくとも１つの受信ビームを選択された受信ビームとして確定する。
【００２６】
好ましくは、前記パフォーマンスインデックスパラメータには、受信電力及び/または、受信信号対雑音比が含まれる。
【００２７】
好ましくは、前記受信装置が、受信装置は、少なくとも１つの受信ビームにより、送信装置からの送信ビームに対応する送信ビームトレーニング信号を受信する場合、前記受信装置に選択された受信ビーム情報がなければ、前記受信装置は、１つまたは複数の受信ビームを使用して、送信装置からのそれぞれの送信ビームに対応する送信ビームトレーニング信号を受信し、または、前記受信装置に選択された受信ビーム情報があり、かつ受信ビームが１つの送信ビームに対応する送信ビームトレーニング信号を受信すれば、前記受信装置は、１つまたは複数の受信ビームを使用して、送信装置からの送信ビームに対応する送信ビームトレーニング信号を受信し、または、前記受信装置に選択された受信ビーム情報があり、かつ複数の受信ビームで１つの送信ビームに対応する送信ビームトレーニング信号を受信すれば、前記受信装置は、選択された受信ビーム情報に対応する複数の受信ビームを使用して、送信装置からのそれぞれの送信ビームに対応する送信ビームトレーニング信号を受信する。
【００２８】
好ましくは、前記受信装置が、前記送信ビームトレーニング信号に対応する送信ビームから少なくとも１つの送信ビームを選択した後、かつ、選択された送信ビームにより確定された送信ビーム情報報告を前記送信装置にフィードバックする前、前記第１の送信ビーム情報に送信装置の識別番号が含まれば、前記受信装置は、選択された送信ビームの所属の送信装置の識別番号を前記送信ビーム情報報告に含ませる。
【００２９】
好ましくは、前記受信装置が、少なくとも１つの受信ビームにより、前記送信装置から送信された受信ビームトレーニング信号を受信する前、前記受信装置は、第２の送信ビーム情報を確定し、前記受信装置が、少なくとも１つの受信ビームにより、前記送信装置から送信された受信ビームトレーニング信号を受信する場合、前記受信装置は、第２の送信ビーム情報に基づき、少なくとも１つの受信ビームにより、前記送信装置から送信された受信ビームトレーニング信号を受信する。
【００３０】
好ましくは、前記受信装置が第２の送信ビーム情報を確定する場合、前記受信装置は、受信送信装置からの受信された第２の送信ビーム情報を確定する。
【００３１】
好ましくは、前記受信装置は、少なくとも１つの受信ビームにより、送信装置からの送信ビームに対応する受信ビームトレーニング信号を受信する場合、前記受信装置が送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、前記受信装置が送信装置からの１つの送信ビームに対応する受信ビームトレーニング信号を受信するとき、複数の受信ビームで１つの送信ビームに対応する受信ビームトレーニング信号を受信する。
【００３２】
第３の態様によれば、本発明の実施例に係るビームをトレーニングする送信装置は、
送信ビームトレーニング信号に対応する送信ビームを確定する第１のビーム確定モジュールと、
前記第１のビーム確定モジュールにより確定された送信ビームを使用して前記送信ビームトレーニング信号を受信装置に送信し、かつ、第２のビーム確定モジュールにより確定された送信ビームを使用して前記受信ビームトレーニング信号を前記受信装置に送信する送信モジュールと、
受信ビームトレーニング信号に対応する送信ビームを確定する第２のビーム確定モジュールとを備える。
【００３３】
好ましくは、前記第２のビーム確定モジュールは、受信された前記受信装置によりフィードバックされた送信ビーム情報報告に基づき、受信ビームトレーニング信号に対応する送信ビームを確定する。
【００３４】
好ましくは、前記送信モジュールは、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【００３５】
好ましくは、前記送信ビームトレーニング信号に対応する送信ビームは、全部の送信ビーム、または、一部の送信ビームを含み、前記一部の送信ビームは、全部の送信ビームから抽出された少なくとも１つの方向の送信ビームであり、及び/または、受信された前記受信装置によりフィードバックされた送信ビーム情報報告に基づいて前記第１のビーム確定モジュールにより確定された送信ビームの隣接方向の送信ビームであり、前記送信ビーム情報報に対応する送信ビームは、前記受信装置が受信された送信ビームトレーニング信号により選択された送信ビームである。
【００３６】
好ましくは、前記送信モジュールは、前記受信装置が第１の送信ビーム情報に基づいて前記送信ビームに対応するビームトレーニング信号を受信するように、前記送信ビームに対応する第１の送信ビーム情報を前記受信装置に送信する。
【００３７】
好ましくは、前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含む。
【００３８】
好ましくは、前記送信モジュールは、前記受信装置が前記第２の送信ビーム情報に基づいて確定された送信ビームに対応する受信ビームトレーニング信号を受信するように、前記送信ビームに対応する第２の送信ビーム情報を前記受信装置に送信する。
【００３９】
好ましくは、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含む。
【００４０】
好ましくは、前記送信モジュールは、前記第１の送信ビーム情報及び前記第２の送信ビーム情報を異なるシグナリングに含ませて前記受信装置に送信し、または、前記第１の送信ビーム情報及び前記第２の送信ビーム情報を同一のシグナリングに含ませて前記受信装置に送信する。
【００４１】
好ましくは、前記送信モジュールは、前記受信装置が１つの受信ビームで１つの送信ビームに対応する受信ビームトレーニング信号を受信するとき、前記受信ビームトレーニング信号を数回送信する。
【００４２】
好ましくは、前記第２のビーム確定モジュールは、受信された前記送信ビーム情報報告に送信装置の識別番号が含まれば、前記送信装置の識別番号に基づき、受信された前記送信ビーム情報報告に対応する送信ビームの所属の送信装置を確定し、受信された前記送信ビーム情報報告に送信装置の識別番号が含まれず、かつ前記送信ビーム情報報告に送信ビームトレーニング信号のインデックスが含まれば、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【００４３】
好ましくは、前記送信モジュールは、前記第１のビーム確定モジュールによって確定された送信ビームを使用して送信ビームトレーニング信号を受信装置に送信ステップを周期的または非周期的に実行し、及び/または、第２のビーム確定モジュールにより確定された送信ビームを使用して前記受信ビームトレーニング信号を前記受信装置に送信するステップを周期的または非周期的に実行する。
【００４４】
第４の態様によれば、本発明の実施例に係るビームをトレーニングする受信装置は、
少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受する信号受信モジュールと、
前記送信ビームトレーニング信号に対応する送信ビームから少なくとも１つの送信ビームを選択して、選択された第１の送信ビームにより確定された送信ビーム情報報告を前記送信装置にフィードバックする第１の処理モジュールと、
少なくとも１つの受信ビームにより受信されたビームトレーニング信号に基づき、少なくとも１つの受信ビームを選択された受信ビームとして確定する第２の処理モジュールとを備える。
【００４５】
好ましくは、前記信号受信モジュールは、次回の受信ビームトレーニング信号を受信する前、選択された受信ビームを使用して前記送信装置からのデータを受信する。
【００４６】
好ましくは、前記送信ビーム情報報告には、選択された送信ビームにより確定されたビームトレーニング信号のリソースインデックスが含まれる。
【００４７】
好ましくは、前記信号受信モジュールは、第１の送信ビーム情報を確定し、第１の送信ビーム情報に基づき、少なくとも１つの受信ビームにより、送信装置からの送信ビームに対応する送信ビームトレーニング信号を受信する。
【００４８】
好ましくは、前記信号受信モジュールは、送信装置からの第１の送信ビーム情報を受信する。
【００４９】
好ましくは、前記第１の処理モジュールは、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、前記第２の処理モジュールは、少なくとも１つの受信ビームにより受信された受信ビームトレーニング信号のパフォーマンスインデックスパラメータに基づき、受信ビームから少なくとも１つの受信ビームを選択された受信ビームとして確定する。
【００５０】
好ましくは、前記パフォーマンスインデックスパラメータには、受信電力及び/または、受信信号対雑音比が含まれる。
【００５１】
好ましくは、前記信号受信モジュールは、前記受信装置に選択された受信ビーム情報がなければ、１つまたは複数の受信ビームを使用して、送信装置からのそれぞれの送信送信装置からのそれぞれの送信ビームに対応する送信ビームトレーニング信号を受信し、または、前記受信装置に選択された受信ビーム情報があり、かつ受信ビームが１つの送信ビームに対応する送信ビームトレーニング信号を受信すれば、選択された受信ビーム情報に対応する受信ビームを使用して、送信装置からの送信ビームに対応する送信ビームトレーニング信号を受信し、または、前記受信装置に選択された受信ビーム情報があり、かつ複数の受信ビームで１つの送信ビームに対応する送信ビームトレーニング信号を受信すれば、選択された受信ビーム情報に対応する複数の受信ビームを使用して、送信装置からのそれぞれの送信ビームに対応する送信ビームトレーニング信号を受信する。
【００５２】
好ましくは、前記第１の処理モジュールは、前記第１の送信ビーム情報に送信装置の識別番号が含まれば、選択された送信ビームの所属の送信装置の識別番号を前記送信ビーム情報報告に含ませる。
【００５３】
好ましくは、前記信号受信モジュールは、第２の送信ビーム情報を確定し、第２の送信ビーム情報に基づき、少なくとも１つの受信ビームにより、前記送信装置から送信された受信ビームトレーニング信号を受信する。
【００５４】
好ましくは、前記信号受信モジュールは、送信装置からの第２の送信ビーム情報を受信する。
【００５５】
好ましくは、前記信号受信モジュールは、送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、送信装置からの１つの送信ビームに対応する受信ビームトレーニング信号を受信するとき、複数の受信ビームで１つの送信ビームに対応する受信ビームトレーニング信号を受信する。
【００５６】
第５の態様によれば、本発明の実施例に係る送信装置は、プロセッサと、メモリと、送受信機とを備え、前記送受信機は、プロセッサの制御によりデータを送受信し、メモリにプリセットされたプログラムが格納されており、プロセッサは、メモリに格納されたプログラムを読みだして第１の態様に記載の前記いずれの方法を実行する。
【００５７】
第６の態様によれば、本発明の実施例に係る受信装置，プロセッサと、メモリと、送受信機とを備え、前記送受信機は、プロセッサの制御によりデータを送受信し、メモリにプリセットされたプログラムが格納されており、プロセッサは、メモリに格納されたプログラムを読みだして第２の態様に記載の前記いずれの方法を実行する。
【００５８】
第７の態様によれば、本発明の実施例に係るコンピュータ記憶媒体は、第１の態様のいずれか１項に記載の方法を前記コンピュータに実行させるように構成されたコンピュータ実行可能命令を格納する。
【００５９】
第８の態様によれば、本発明の実施例に係るコンピュータ記憶媒体は、第２の態様のいずれか１項に記載の方法を前記コンピュータに実行させるように構成されたコンピュータ実行可能命令を格納する第２のの態様に記載の前記いずれの方法を実行する。
【００６０】
本発明の実施例に係る送信装置は、ビームトレーニング信号を２回送信し、このプロセスを繰り返す。最初に、受信装置が選択された受信ビームを使用して送信ビームトレーニング信号を受信して、送信ビームを選択して報告するように送信ビームトレーニング信号が送信される。第２に、送信装置は受信装置の送信ビーム情報報告に従って受信ビームトレーニング信号を送信して受信装置の受信ビームをトレーニングする。二番目の送信は、送信装置は受信装置の送信ビーム情報報告に従って受信ビームトレーニング信号を送信して受信装置の受信ビームをトレーニングする。本発明に係る実施例では、すべてのビームを一度トレーニングするのではなく、対話式ビームトレーニングを介して最適な送信および受信ビームを逐次探して、ビームトレーニングの時間およびオーバーヘッドを節約し、効率を改善する。
【００６１】
本発明に係る実施例や従来の技術案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００６２】
【図１Ａ】本発明の実施例に係るビームをトレーニングするシステムの構成図である。
【図１Ｂ】本発明の実施例に係るダウンリンクインタラクティブビームトレーニングの構成図である。
【図２】本発明の実施例に係る第１の送信装置の構成図である。
【図３】本発明の実施例に係る第１の受信装置の構成図である。
【図４】本発明の実施例に係る第２の送信装置の構成図である。
【図５】本発明の実施例に係る第２の受信装置の構成図である。
【図６】本発明の実施例に係る送信装置側のビームをトレーニングする方法のフローチャートである。
【図７】本発明の実施例に係る受信装置側のビームをトレーニングする方法のフローチャートである。
【発明を実施するための形態】
【００６３】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００６４】
図１Ａに示すように、本発明の実施例に係るビームをトレーニングするシステムは、送信装置１０と、受信装置２０とを備える。
【００６５】
前記送信装置１０は、送信ビームトレーニング信号に対応する送信ビームを確定し、前記ビームトレーニング信号に対応する送信ビームを使用して、前記送信ビームトレーニング信号を受信装置に送信し、受信ビームトレーニング信号に対応する送信ビームを確定する。前記受信ビームトレーニング信号に対応する送信ビームを使用して、前記受信ビームトレーニング信号を前記受信装置に送信する。
【００６６】
受信装置２０は、少なくとも１つの受信ビームにより、送信装置からの送信ビームに対応する送信ビームトレーニング信号を受信し、前記送信ビームトレーニング信号に対応する送信ビームから少なくとも１つの送信ビームを選択して、選択された送信ビームにより確定された送信ビーム情報報告を、前記送信装置にフィードバックし、少なくとも１つの受信ビームにより、前記送信装置から送信された受信ビームトレーニング信号を受信し、少なくとも１つの受信ビームにより受信された受信ビームトレーニング信号に基づき、少なくとも１つの受信ビームを選択された受信ビームとして確定する。
【００６７】
本発明の実施例に係る送信装置は、ビームトレーニング信号を２回送信し、このプロセスを繰り返す。最初に、送信送信ビームトレーニング信号は、受信装置が選択された受信ビームで送信ビームを選択して報告するためである。二番目の送信は、送信装置が、受信装置によりフィードバックされた送信ビーム情報報告に基づいて受信ビームトレーニング信号を送信することにより、受信装置の受信ビームをトレーニングするためである。本発明に係る実施例では、すべてのビームを一度トレーニングするのではなく、対話式ビームトレーニングを介して最適な送信および受信ビームを逐次探して、ビームトレーニングの時間およびオーバーヘッドを節約し、効率を改善する。
【００６８】
ここで、送信装置がネットワーク側の装置であれば、受信装置は端末であり、送信装置が端末であれば、受信装置はネットワーク側の装置である。
【００６９】
ネットワーク側の装置は、ＴＲＰ（Ｔｘ／Ｒｘ Ｐｏｉｎｔ，送信受信装置）であることができ、例えば、基地局（マクロ基地局、ホーム基地局などが含まれる）、また、新しいネットワーク側の装置であることができる。
【００７０】
好ましくは、前記送信装置が、受信ビームトレーニング信号に対応する送信ビームを確定する方法は多様である。例えば、前記送信装置は、受信された前記受信装置によりフィードバックされた送信ビーム情報報告に基づき、受信ビームトレーニング信号に対応する送信ビームを確定することができる。好ましくは、前記送信装置は、最後に受信された前記受信装置によりフィードバックされた送信ビーム情報報告に基づき、受信ビームトレーニング信号に対応する送信ビームを確定する。また、例えば、前記送信装置は、受信ビームトレーニング信号に対応する送信ビームを直接に確定する。
【００７１】
実施では、前記送信装置は、送信ビームで送信ビームトレーニング信号を受信装置に送信するステップを周期的、または、非周期的に実行する。及び/または、前記送信装置は、確定された送信ビームで前記受信ビームトレーニング信号を前記受信装置に送信するステップを周期的、または、非周期的に実行する。
【００７２】
ここで、前記送信装置は、送信ビームで送信ビームトレーニング信号を受信装置に送信するステップ（送信ビームトレーニング信号を送信することを実行するステップと略称する）を繰り返して実行する周期と、確定された送信ビームで前記受信ビームトレーニング信号を前記受信装置に送信するステップ（受信ビームトレーニング信号を送信することを実行するステップと略称する）を繰り返して実行する周期は同じか、異なる。
【００７３】
また、送信ビームトレーニング信号を送信することを実行するステップにおいて、周期的に実行し、受信ビームトレーニング信号を送信することを実行するステップでは、非周期的に実行する。また、送信ビームトレーニング信号を送信することを実行するステップで非周期的に実行し、受信ビームトレーニング信号を送信することを実行するステップで周期的に実行する。
【００７４】
以下、送信装置が送信ビームトレーニング信号及び受信ビームトレーニング信号を送信することについて説明する。
【００７５】
〈一〉送信装置は、送信ビームトレーニング信号を送信する。
【００７６】
前記送信装置が、送信ビームに対応する送信ビームトレーニング信号を、受信装置に送信する前、前記送信装置は送信ビームを確定する。
【００７７】
具体的に、前記送信装置は、全部の送信ビーム、または、一部の送信ビームを確定し、全部の送信ビーム、または、一部の送信ビームに対応する送信ビームトレーニング信号を受信装置に送信する。または、前記送信装置は、受信された前記受信装置によりフィードバックされた送信ビーム情報報告に基づいて送信ビームの隣接方向の送信ビームを確定し、確定された送信ビームに対応する送信ビームトレーニング信号を受信装置に送信する。前記送信ビーム情報報に対応する送信ビームは、前記受信装置が受信された送信ビームトレーニング信号に基づき選択された送信ビームである。
【００７８】
好ましくは、前記送信装置は、最後に受信された前記受信装置によりフィードバックされた送信ビーム情報報告に基づいて送信ビームの隣接方向の送信ビームを確定する。最後に受信された送信ビーム情報報告は、前回受信装置によりフィードバックされた送信ビーム情報報告である。
【００７９】
送信装置が送信ビームトレーニング信号を最初に送信すれば、全部の送信ビーム、または、一部の送信ビームを確定する。送信装置が送信ビームトレーニング信号を最初に送信することではなければ、上述の２つ方法中に１つを選定する。具体的にどちらの方法を選択するのは、送信装置により決定されるか、人により設定することもでき、または、高位層より設定されることもできる。
【００８０】
好ましくは、前記送信装置が一部の送信ビームを確定するとき、全部の送信ビームから少なくとも１方向の送信ビームを抽出して、抽出された送信ビームに対応する送信ビームトレーニング信号を受信装置に送信する。
【００８１】
以上の、一部の送信ビームを確定する２つの方法は、例にすぎず、送信ビームの一部を確定し得る他の任意の方法が本発明に適用可能であることに留意されたい。
【００８２】
好ましくは、前記送信装置が受信された送信ビーム情報報告に基づいて送信ビームを確定するとき、受信された送信ビーム情報報告に基づいて受信装置選択された送信ビームを確定し、受信装置選択された送信ビームと隣接する全ての送信ビームから一部、または、全部の送信ビームを確定する。
【００８３】
好ましくは、前記送信装置が最後に受信された送信ビーム情報報告に基づいて送信ビームを確定するとき、最後に受信された送信ビーム情報報告に基づいて受信装置により選択された送信ビームを確定する。
【００８４】
実施では、前記送信装置により受信された前記送信ビーム情報報告に送信装置の識別番号が含まれば、前記送信装置は、前記送信装置の識別番号に基づき、受信された前記送信ビーム情報報告に対応する送信ビームの所属の送信装置を確定する。前記送信装置により受信された前記送信ビーム情報報告に送信装置の識別番号が含まれず、かつ前記送信ビーム情報報告に送信ビームトレーニング信号のインデックスが含まれば、前記送信装置は、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【００８５】
送信ビームトレーニング信号のインデックスと所属する送信装置との対応関係は、プリセットすることができる。送信装置は、前記対応関係に基づいて送信ビーム情報報告に含まれる送信ビームトレーニング信号のインデックスに対応する送信装置を確定し、当該送信装置は、受信された前記送信ビーム情報報に対応する送信ビームの所属の送信装置である。
【００８６】
実施では、前記送信装置は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【００８７】
好ましくは、実施では、前記送信装置は、次回の前記受信装置によりフィードバックされた送信ビーム情報報告を受信する前、最後に前記受信装置によりフィードバックされた送信ビーム情報報告に基づいて確定された送信ビームを使用して、前記受信装置にデータを送信する。最後に受信された前記受信装置によりフィードバックされた送信ビーム情報報告に基づいて、前記受信装置が受信された送信ビームトレーニング信号により選択された送信ビームを確定する。
【００８８】
前記送信装置は、送信ビームに対応する送信ビームトレーニング信号を受信装置に送信するステップを周期的、または、非周期的に実行し、及び/または、前記送信装置は、確定された送信ビームに対応する受信ビームトレーニング信号を受信装置に送信するステップを周期的、または、非周期的に実行する。
【００８９】
好ましくは、前記送信装置は、前記送信ビームトレーニング信号に対応する送信ビームを使用して、前記送信ビームトレーニング信号を受信装置に送信する前、前記送信ビームトレーニング信号に対応する送信ビームの送信ビーム情報（説明の便宜のため、以下第１の送信ビーム情報と称する）を前記受信装置に送信することにより、前記受信装置は、前記第１の送信ビーム情報に基づいて前記送信ビームに対応するビームトレーニング信号を受信する。
【００９０】
ここで、前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含む。
【００９１】
好ましくは、前記送信装置が確定された送信ビームに対応する受信ビームトレーニング信号を受信装置に送信する前、当該送信ビームの送信ビーム情報（説明の便宜のため、以下第２の送信ビーム情報と称する）を前記受信装置に送信することにより、前記受信装置は、前記第２の送信ビーム情報に基づいて確定された送信ビームに対応する受信ビームトレーニング信号を受信する。これに応じて、前記受信装置は、送信装置からの第２の送信ビーム情報を受信し、かつ第２の送信ビーム情報に基づき、少なくとも１つの受信ビームを使用して、前記送信装置は、前記送信ビーム情報報告に基づいて確定された送信ビームに対応する受信ビームトレーニング信号を受信する。
【００９２】
実施では、受信装置は、第２の送信ビーム情報を自ら確定することもできる。さらに、受信装置は、自ら確定された第２の送信ビーム情報を送信装置に送信する。
【００９３】
ここで、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含むが、これに限られない。
【００９４】
ここで、複数の異なる受信ビームトレーニング信号であれば、異なる受信ビームトレーニング信号は異なる送信装置に属する。
【００９５】
実施では、送信装置は、前記第１の送信ビーム情報及び前記第２の送信ビーム情報を異なるシグナリングに含ませて前記受信装置に送信し、または、送信装置は、前記第１の送信ビーム情報及び前記第２の送信ビーム情報を同一のシグナリングに含ませて前記受信装置に送信する。
【００９６】
送信装置が、前記第１の送信ビーム情報及び前記第２の送信ビーム情報を同一のシグナリングに含ませて前記受信装置に送信する場合、
〈１〉第１の送信ビーム情報内の送信ビームトレーニング信号により占有されるリソースは、具体的なリソースであることができ、第２の送信ビーム情報内の受信ビームトレーニング信号により占有されるリソースは、送信ビームトレーニング信号により占有されるリソースと異なるリソースであることができる。
【００９７】
〈２〉第２の送信ビーム情報内の受信ビームトレーニング信号により占有されるリソースは、具体的なリソースであることができ、第１の送信ビーム情報内の送信ビームトレーニング信号により占有されるリソースは、受信ビームトレーニング信号により占有されるリソースと異なるリソースであることができる。
【００９８】
〈３〉第１の送信ビーム情報内の送信ビームトレーニング信号により占有されるリソースは、具体的なリソースであることができ、第２の送信ビーム情報内の受信ビームトレーニング信号により占有されるリソースは、具体的なリソースであることができる。
【００９９】
前記第１の送信ビーム情報及び前記第２の送信ビーム情報が同一のシグナリングに含まれば、当該シグナリングは、多様な構成を可能である。例えば、当該シグナリングに第１の送信ビーム情報の内容及び第２の送信ビーム情の内容が含まれる例えば、第１の送信ビーム情報の内容に、Ａ及びＣが含まれ、第２の送信ビーム情報の内容にＣ、Ｄ及びＥが含まれる場合、シグナリングには、Ａ、Ｂ及びＣが含まれ、及びＣ、Ｄ及びＥが含まれる。
【０１００】
また、例えば、当該シグナリングに、第１の送信ビーム情報及び第２の送信ビーム情報内の同じ内容が含まれることができ、及び、第１の送信ビーム情報内の第２の送信ビーム情報と異なる内容が含まれることができ、及び、第２の送信ビーム情報内の第１の送信ビーム情報と異なる内容が含まれることができる。例えば、第１の送信ビーム情報の内容に、Ａ及びＣが含まれ、第２の送信ビーム情報の内容にＣ、Ｄ及びＥが含まれる場合、シグナリングには、Ｃ、ＡとＢ、ＤとＥが含まれる。
【０１０１】
上述の方法は例にすぎず、受信装置がシグナリング内の内容に基づいて第１の送信ビーム情報および前記第２の送信ビーム情報を確定できる任意のシグナリング構成は、本発明に係る実施例に適用可能である。
【０１０２】
第２の送信ビーム情報に第２のビームトレーニングのインデックスの開始情報及び/または、第２のビームトレーニングのインデックスの終了情報が含まれなければ、送信装置と受信装置の間は、以下のいずれかの方法で取得することができる。
【０１０３】
〈１〉受信装置は、送信装置に第２のビームトレーニングのインデックスの送信回数及び/または、持続時間を通知する。
【０１０４】
〈２〉受信装置は、送信装置に第２のビームトレーニングのインデックスの開始及び/または、終了時間を通知する。
【０１０５】
上述の２つの方法は例にすぎず、送信装置及び受信装置の間で第２のビームトレーニングのインデックスの開始情報及び/または、第２のビームトレーニングのインデックスの終了情報を確定できる方法であれば、本発明に係る実施例に適用できる。
【０１０６】
実施では、受信装置は、少なくとも１つの受信ビームで受信ビームトレーニング信号を受信することができる。
【０１０７】
受信装置が１つの送信ビームトレーニング信号を受信するときに、１つの受信ビームのみを使用すれば、送信装置が受信ビームトレーニング信号を繰り返して数回送信し、受信装置は、異なる受信ビームで各受信ビームトレーニング信号を受信する。
【０１０８】
具体的に、前記受信装置が１つの受信ビームで１つの送信ビームに対応する受信ビームトレーニング信号を受信するとき、前記送信装置は、送信ビームに対応する受信ビームトレーニング信号を数回送信する。
【０１０９】
これに応じて、前記受信装置が送信装置からの１つの送信ビームに対応する受信ビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信する。
【０１１０】
好ましくは、前記受信装置が受信された受信ビームトレーニング信号に基づいて、受信ビームから選択された受信ビームを確定するとき、少なくとも１つの受信ビームで受信された受信ビームトレーニング信号のパフォーマンスインデックスパラメータに基づいて、受信ビームから１つの受信ビームを選択して、選択された受信ビームを選択された受信ビームとし、選択された受信ビームの情報を選択された受信ビーム情報とする。
【０１１１】
好ましくは、前記パフォーマンスインデックスパラメータに受信電力と、受信信号対雑音比とが含まれるが、これに限られない。
【０１１２】
例えば、受信装置は、少なくとも１つの受信ビームで受信された各受信ビームトレーニング信号の受信電力を測定し、受信電力が閾値より大きい受信ビームトレーニング信号から選択してもよく、受信電力が最大である受信ビームトレーニング信号を選択してもよい。
【０１１３】
受信装置は、選択された受信ビームを確定した後、次回選択された受信ビームをさらに確定する前まで、選択された受信ビームで当該送信装置の信号を受信することができる。
【０１１４】
以下、ダウンリンクの例を挙げて、本発明に係る実施例を説明する。
【０１１５】
図１Ｂは、本発明の実施例に係るダウンリンクインタラクティブビームトレーニングを示す図である。
【０１１６】
図における各送信ビームトレーニング信号が１個のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルを占有する。ＵＥ（Ｕｓｅｒ Ｅｑｕｉｐｍｅｎｔ，ユーザー機器または端末と称する）は、毎回、１つのみの受信ビームで１つの送信ビームトレーニング信号を受信することができる。
【０１１７】
ステップ１において、ＴＲＰ（ＴｘスラッシュＲｘ Ｐｏｉｎｔ，送信受信装置）は、シグナリングにより、ＵＥに、送信すべき送信ビームに対応する送信ビームトレーニング信号の第１の送信ビーム情報を通知する。
【０１１８】
ここで、前記第１の送信ビーム情報には、送信ビームトレーニング信号の数（本例では２とする）と各送信ビームトレーニング信号のインデックスと、各送信ビームトレーニング信号により占有されるリソースと各送信ビームトレーニング信号の周期と、送信ビームトレーニング信号に対応するＴＲＰ識別番号などとのうちの少なくとも１つを含むが、これに限られない。
【０１１９】
ＴＲＰは、前記第１の送信ビーム情報に基づいて、２個の送信ビームトレーニング信号を送信する。
【０１２０】
ステップ２において、ＵＥは、第１の送信ビーム情報の指示に基づいて、いずれか１個の受信ビームで当該２個の送信ビームトレーニング信号を受信する。
【０１２１】
ステップ３において、ＵＥは、各送信ビームトレーニング信号の受信電力を算出し、最大受信電力に対応する送信ビームトレーニング信号を選択し、対応のインデックスを送信ビーム情報報告としてＴＲＰにフィードバックする。
【０１２２】
ステップ４において、ＴＲＰは、送信ビーム情報報告を受信した後、受信された前記受信装置によりフィードバックされた送信ビーム情報報告に基づき、ＵＥ選択された送信ビームを確定する。
【０１２３】
ステップ５において、ＴＲＰは、シグナリングにより、ＵＥに、選択された送信ビームに対応する受信ビームトレーニング信号の第２の送信ビーム情報を通知する。
【０１２４】
ここで、第２の送信ビーム情報は、受信ビームトレーニング信号の数（本例では２とする）と、受信ビームトレーニング信号の開始情報と、受信ビームトレーニング信号の終了情報と、各受信ビームトレーニング信号のインデックスと、各受信ビームトレーニング信号により占有されるリソースと、各受信ビームトレーニング信号に占有される周期などとのうちの少なくとも１つを含むが、これに限られない。
【０１２５】
ここで、重複回数を２とする。ＴＲＰは、当該情報に基づいて、２回重複して、ＵＥにより選択された送信ビームに対応する受信ビームトレーニング信号を送信する。
【０１２６】
ステップ６において、ＵＥは、第２の送信ビーム情報の指示に基づいて、２個の受信ビームで当該２個の受信ビームトレーニング信号を受信する。
【０１２７】
ステップ７において、ＵＥは、各受信ビームトレーニング信号の受信電力を算出し、最大受信電力に対応する受信ビームトレーニング信号を選択する。
【０１２８】
ステップ８において、ＵＥは、選択された受信ビームトレーニング信号に対応する受信ビームを確定し、当該受信ビームのビーム情報を選択された受信ビーム情報とする。
【０１２９】
上記ステップ１〜ステップ８を重複する。
【０１３０】
実施では、ステップ１~ステップ８をずっと重複するか、または、第１の送信ビーム情報及び第２の送信ビーム情報内の開始情報及び終了情報に基づいて、開始及び終了時間を確定する。
【０１３１】
図２に示すように、本発明の実施例に係る第１の送信装置は、送信ビームトレーニング信号に対応する送信ビームを確定する第１のビーム確定モジュール２００と、
前記第１のビーム確定モジュールにより確定された送信ビームを使用して前記送信ビームトレーニング信号を受信装置に送信し、かつ、第２のビーム確定モジュールにより確定された送信ビームを使用して前記受信ビームトレーニング信号を前記受信装置に送信する送信モジュール２０１と、
受信ビームトレーニング信号に対応する送信ビームを確定する第２のビーム確定モジュール２０２とを備える。
【０１３２】
好ましくは、第２のビーム確定モジュール２０２は、受信された前記受信装置によりフィードバックされた送信ビーム情報報告に基づき、受信ビームトレーニング信号に対応する送信ビームを確定する。
【０１３３】
好ましくは、前記送信モジュール２０１は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【０１３４】
好ましくは、前記送信ビームトレーニング信号に対応する送信ビームは、全部の送信ビーム、または、一部の送信ビームを含み、前記一部の送信ビームは、全部の送信ビームから抽出された少なくとも１つの方向の送信ビームであり、及び/または、前記第１のビーム確定モジュール２００は、受信された前記受信装置によりフィードバックされた送信ビーム情報報告に基づいて送信ビームの隣接方向の送信ビームを確定する。前記送信ビーム情報報に対応する送信ビームは、前記受信装置が受信された送信ビームトレーニング信号により選択された送信ビームである。
【０１３５】
好ましくは、前記送信モジュール２０１は、前記受信装置が第１の送信ビーム情報に基づいて前記送信ビームに対応するビームトレーニング信号を受信するように、前記送信ビームに対応する第１の送信ビーム情報を前記受信装置に送信する。
【０１３６】
好ましくは、前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含む。
【０１３７】
好ましくは、前記送信モジュール２０１は、前記受信装置が前記第２の送信ビーム情報に基づいて確定された送信ビームに対応する受信ビームトレーニング信号を受信するように、前記送信ビームに対応する第２の送信ビーム情報を前記受信装置に送信する。
【０１３８】
好ましくは、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含む。
【０１３９】
好ましくは、前記送信モジュール２０１は、前記第１の送信ビーム情報及び前記第２の送信ビーム情報を異なるシグナリングに含ませて前記受信装置に送信するか、または、前記第１の送信ビーム情報及び前記第２の送信ビーム情報を同一のシグナリングに含ませて前記受信装置に送信する。
【０１４０】
好ましくは、前記送信モジュール２０１は、前記受信装置が１つの受信ビームで１つの送信ビームに対応する受信ビームトレーニング信号を受信するとき、前記受信ビームトレーニング信号を数回送信する。
【０１４１】
好ましくは、前記第２のビーム確定モジュール２０２は、受信された前記送信ビーム情報報告に送信装置の識別番号が含まれば、前記送信装置の識別番号に基づき、受信された前記送信ビーム情報報告に対応する送信ビームの所属の送信装置を確定し、受信された前記送信ビーム情報報告に送信装置の識別番号が含まれず、かつ前記送信ビーム情報報告に送信ビームトレーニング信号のインデックスが含まれば、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【０１４２】
好ましくは、前記送信モジュール２０１は、前記第１のビーム確定モジュールによって確定された送信ビームを使用して送信ビームトレーニング信号を受信装置に送信ステップを周期的または非周期的に実行し、及び/または、第２のビーム確定モジュールにより確定された送信ビームを使用して前記受信ビームトレーニング信号を前記受信装置に送信するステップを周期的または非周期的に実行する。
【０１４３】
図３に示すように、本発明の実施例に係る第１の受信装置は、少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受信する信号受信モジュール３００と、
前記送信ビームトレーニング信号に対応する送信ビームから少なくとも１つの送信ビームを選択して、選択された第１の送信ビームにより確定された送信ビーム情報報告を前記送信装置にフィードバックする第１の処理モジュール３０１と、
少なくとも１つの受信ビームにより受信されたビームトレーニング信号に基づき、少なくとも１つの受信ビームを選択された受信ビームとして確定する第２の処理モジュール３０２とを備える。
【０１４４】
好ましくは、前記信号受信モジュール３００は、次回の受信ビームトレーニング信号を受信する前、選択された受信ビームを使用して前記送信装置からのデータを受信する。
【０１４５】
好ましくは、前記送信ビーム情報報告には、選択された送信ビームにより確定されたビームトレーニング信号のリソースインデックスが含まれる。
【０１４６】
好ましくは、前記信号受信モジュール３００は、第１の送信ビーム情報を確定し、第１の送信ビーム情報に基づき、少なくとも１つの受信ビームにより、送信装置からの送信ビームに対応する送信ビームトレーニング信号を受信する。
【０１４７】
好ましくは、前記信号受信モジュール３００は、送信装置からの第１の送信ビーム情報を受信する。
【０１４８】
好ましくは、前記第１の処理モジュール３０１は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択する。
【０１４９】
及び/または、前記第２の処理モジュール３０２は、少なくとも１つの受信ビームにより受信された受信ビームトレーニング信号のパフォーマンスインデックスパラメータに基づき、受信ビームから少なくとも１つの受信ビームを選択された受信ビームとして確定する。
【０１５０】
好ましくは、前記パフォーマンスインデックスパラメータには、受信電力及び/または、受信信号対雑音比が含まれる。
【０１５１】
好ましくは、前記信号受信モジュール３００は、前記受信装置に選択された受信ビーム情報がなければ、１つまたは複数の受信ビームを使用して、送信装置からのそれぞれの送信送信装置からのそれぞれの送信ビームに対応する送信ビームトレーニング信号を受信し、または、前記受信装置に選択された受信ビーム情報があり、かつ受信ビームが１つの送信ビームに対応する送信ビームトレーニング信号を受信すれば、選択された受信ビーム情報に対応する受信ビームを使用して、送信装置からの送信ビームに対応する送信ビームトレーニング信号を受信し、または、前記受信装置に選択された受信ビーム情報があり、かつ複数の受信ビームで１つの送信ビームに対応する送信ビームトレーニング信号を受信すれば、選択された受信ビーム情報に対応する複数の受信ビームを使用して、送信装置からのそれぞれの送信ビームに対応する送信ビームトレーニング信号を受信する。
【０１５２】
好ましくは、前記第１の処理モジュール３０１は、前記第１の送信ビーム情報に送信装置の識別番号が含まれば、選択された送信ビームの所属の送信装置の識別番号を前記送信ビーム情報報告に含ませる。
【０１５３】
好ましくは、前記信号受信モジュール３００は、第２の送信ビーム情報を確定し、第２の送信ビーム情報に基づき、少なくとも１つの受信ビームにより、前記送信装置から送信された受信ビームトレーニング信号を受信する。
【０１５４】
好ましくは、前記信号受信モジュール３００は、送信装置からの第２の送信ビーム情報を受信する。
【０１５５】
好ましくは、前記信号受信モジュール３００は、送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、送信装置からの１つの送信ビームに対応する受信ビームトレーニング信号を受信するとき、複数の受信ビームで１つの送信ビームに対応する受信ビームトレーニング信号を受信する。
【０１５６】
実施では、ネットワーク側装置は送信装置とすることができ、または受信装置とすることができる。あるいは、端末は送信装置でも受信装置でもよい。ここで、図２の送信装置および図３の受信装置の機能は、エンティティ内に統合することができる（すなわち、送信装置および受信装置のモジュールはエンティティ内に統合することができる）。送信装置の機能、または受信装置の機能は、必要に応じて選択し実行することができる。
【０１５７】
図４に示すように、本発明の実施例に係る第２の送信装置は、
メモリ４０４に格納されたプログラムを読み出して、送信ビームトレーニング信号に対応する送信ビームを確定し、送受信機４０２を介して、前記第１のビーム確定モジュールによって確定された送信ビームを使用して送信ビームトレーニング信号を受信装置に送信し、及び、送受信機４０２を介して、第２のビーム確定モジュールにより確定された送信ビームを使用して前記受信ビームトレーニング信号を前記受信装置に送信し、受信ビームトレーニング信号に対応する送信ビームを確定するプロセッサ４０１と、
プロセッサ４０１の制御によりデータを送受信する送受信機４０２を備える。
【０１５８】
好ましくは、前記プロセッサ４０１は、受信された前記受信装置によりフィードバックされた送信ビーム情報報告に基づき、受信ビームトレーニング信号に対応する送信ビームを確定する。
【０１５９】
好ましくは、前記プロセッサ４０１は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【０１６０】
好ましくは、前記送信ビームトレーニング信号に対応する送信ビームは、全部の送信ビーム、または、一部の送信ビームを含み、前記一部の送信ビームは、全部の送信ビームから抽出された少なくとも１つの方向の送信ビームであり、及び/または、前記プロセッサが受信された前記受信装置によりフィードバックされた送信ビーム情報報告に基づいて確定された送信ビームの隣接方向の送信ビームである。前記送信ビーム情報報に対応する送信ビームは、前記受信装置が受信された送信ビームトレーニング信号により選択された送信ビームである。
【０１６１】
好ましくは、前記プロセッサ４０１は、前記受信装置が第１の送信ビーム情報に基づいて前記送信ビームに対応するビームトレーニング信号を受信するように、前記送信ビームに対応する第１の送信ビーム情報を前記受信装置に送信する。
【０１６２】
好ましくは、前記第１の送信ビーム情報は、下記情報のうちの一部または全部を含み、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含む。
【０１６３】
好ましくは、前記プロセッサ４０１は、前記受信装置が前記第２の送信ビーム情報に基づいて確定された送信ビームに対応する受信ビームトレーニング信号を受信するように、前記送信ビームに対応する第２の送信ビーム情報を前記受信装置に送信する。
【０１６４】
好ましくは、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含む。
【０１６５】
好ましくは、前記プロセッサ４０１は、前記第１の送信ビーム情報及び前記第２の送信ビーム情報を異なるシグナリングに含ませて前記受信装置に送信し、または、前記第１の送信ビーム情報及び前記第２の送信ビーム情報を同一のシグナリングに含ませて前記受信装置に送信する。
【０１６６】
好ましくは、前記プロセッサ４０１は、前記受信装置が１つの受信ビームで１つの送信ビームに対応する受信ビームトレーニング信号を受信するとき、前記受信ビームトレーニング信号を数回送信する。
【０１６７】
好ましくは、前記プロセッサ４０１は、受信された前記送信ビーム情報報告に送信装置の識別番号が含まれば、前記送信装置の識別番号に基づき、受信された前記送信ビーム情報報告に対応する送信ビームの所属の送信装置を確定し、受信された前記送信ビーム情報報告に送信装置の識別番号が含まれず、かつ前記送信ビーム情報報告に送信ビームトレーニング信号のインデックスが含まれば、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【０１６８】
好ましくは、前記プロセッサ４０１は、前記第１のビーム確定モジュールによって確定された送信ビームを使用して送信ビームトレーニング信号を受信装置に送信ステップを周期的または非周期的に実行し、及び/または、第２のビーム確定モジュールにより確定された送信ビームを使用して前記受信ビームトレーニング信号を前記受信装置に送信するステップを周期的または非周期的に実行する。
【０１６９】
ここで、プロセッサ４０１と受信装置の間のインタラクションは、送受信機４０２を介して行われる。
【０１７０】
図４において、バスアーキテクチャ（バス４００が代表となる）は、バス４００は、いずれ数の相互接続するバス及びブリッジを備える。バス４００は、プロセッサ４０１が代表となる１つまたは複数のプロセッサ及びメモリ４０４が代表となるメモリの多様な回を接続する。バス４００は、外部設備、電圧レギュレーター及び電力管理回路等の他の回路を接続することもできる。これらは、当該分野の周知技術であるため、本発明において、詳細に説明しない。バスインターフェース４０３は、バス４００及び送受信機４０２の間にインターフェースを提供する。送受信機４０２は、複数の部品であることができ、すなわち、ち、送信機及び受信機を備え、伝送媒体を介して他の装置と通信するユニットを提供する。プロセッサ４０１により処理されたデータは、アンテナ４０５を介して、無線媒体において伝送され、さらに、アンテナ４０５は、データを受信して、データをプロセッサ４０１に送信する。
【０１７１】
プロセッサ４０１は、バス４００の管理および通常の処理の実行を担当し、さらに、タイミング、周辺インタフェース、電圧調整、電源管理、および他の制御機能を含む様々な機能を提供することができる。メモリ４０４は、プロセッサ４０１が動作する際に利用するデータを記憶することができる。
【０１７２】
好ましくは、プロセッサ４０１は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）または、ＣＰＬＤ（Ｃｏｍｐｌｅｘ Ｐｒｏｇｒａｍｍａｂｌｅ Ｌｏｇｉｃ Ｄｅｖｉｃｅ）であることができる。
【０１７３】
図５に示すように、本発明の実施例に係る第２の受信装置は、
メモリ５０４に格納されたプログラムを読み出して、送受信機５０２を介して、少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受信し、前記送信ビームトレーニング信号に対応する送信ビームから少なくとも１つの送信ビームを選択して、送受信機５０２を介して、選択された第１の送信ビームにより確定された送信ビーム情報報告を前記送信装置にフィードバックし、送受信機５０２を介して、少なくとも１つの受信ビームにより受信されたビームトレーニング信号に基づき、少なくとも１つの受信ビームを選択された受信ビームとして確定するプロセッサ５０１と、
プロセッサ５０１の制御によりデータを送受信する送受信機５０２とを備える。
【０１７４】
好ましくは、前記プロセッサ５０１は、次回の受信ビームトレーニング信号を受信する前、選択された受信ビームを使用して前記送信装置からのデータを受信する。
【０１７５】
好ましくは、前記送信ビーム情報報告には、選択された送信ビームにより確定されたビームトレーニング信号のリソースインデックスが含まれる。
【０１７６】
好ましくは、前記プロセッサ５０１は、第１の送信ビーム情報を確定し、第１の送信ビーム情報に基づき、少なくとも１つの受信ビームにより、送信装置からの送信ビームに対応する送信ビームトレーニング信号を受信する。
【０１７７】
好ましくは、前記プロセッサ５０１は、送信装置からの第１の送信ビーム情報を受信する。
【０１７８】
好ましくは、前記プロセッサ５０１は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択する。及び/または、前記プロセッサ５０１は、少なくとも１つの受信ビームにより受信された受信ビームトレーニング信号のパフォーマンスインデックスパラメータに基づき、受信ビームから少なくとも１つの受信ビームを選択された受信ビームとして確定する。
【０１７９】
好ましくは、前記パフォーマンスインデックスパラメータには、受信電力及び/または、受信信号対雑音比が含まれる。
【０１８０】
好ましくは、前記プロセッサ５０１は、前記受信装置に選択された受信ビーム情報がなければ、１つまたは複数の受信ビームを使用して、送信装置からのそれぞれの送信送信装置からのそれぞれの送信ビームに対応する送信ビームトレーニング信号を受信し、または、前記受信装置に選択された受信ビーム情報があり、かつ受信ビームが１つの送信ビームに対応する送信ビームトレーニング信号を受信すれば、選択された受信ビーム情報に対応する受信ビームを使用して、送信装置からの送信ビームに対応する送信ビームトレーニング信号を受信し、または、前記受信装置に選択された受信ビーム情報があり、かつ複数の受信ビームで１つの送信ビームに対応する送信ビームトレーニング信号を受信すれば、選択された受信ビーム情報に対応する複数の受信ビームを使用して、送信装置からのそれぞれの送信ビームに対応する送信ビームトレーニング信号を受信する。
【０１８１】
好ましくは、前記プロセッサ５０１は、前記第１の送信ビーム情報に送信装置の識別番号が含まれば、選択された送信ビームの所属の送信装置の識別番号を前記送信ビーム情報報告に含ませる。
【０１８２】
好ましくは、前記信号受信モジュールは、第２の送信ビーム情報を確定し、第２の送信ビーム情報に基づき、少なくとも１つの受信ビームにより、前記送信装置から送信された受信ビームトレーニング信号を受信する。
【０１８３】
好ましくは、前記プロセッサ５０１は、送信装置からの第２の送信ビーム情報を受信する。
【０１８４】
好ましくは、前記プロセッサ５０１は、送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、送信装置からの１つの送信ビームに対応する受信ビームトレーニング信号を受信するとき、複数の受信ビームで１つの送信ビームに対応する受信ビームトレーニング信号を受信する。
【０１８５】
ここで、プロセッサ５０１及び送信装置の間のインタラクションは、送受信機５０２により行われる。
【０１８６】
図５において、バスアーキテクチャ（バス５００が代表となる）は、バス５００は、いずれ数の相互接続するバス及びブリッジを備える。バス５００は、プロセッサ５０１が代表となる１つまたは複数のプロセッサ及びメモリ５０４が代表となるメモリの多様な回を接続する。バス５００は、外部設備、電圧レギュレーター及び電力管理回路等の他の回路を接続することもできる。これらは、当該分野の周知技術であるため、本発明において、詳細に説明しない。バスインターフェース５０３は、バス５００及び送受信機５０２の間にインターフェースを提供する。送受信機５０２は、複数の部品であることができ、すなわち、ち、送信機及び受信機を備え、伝送媒体を介して他の装置と通信するユニットを提供する。プロセッサ５０１により処理されたデータは、アンテナ５０５を介して、無線媒体において伝送され、アンテナ５０５は、データを受信して、データをプロセッサ５０１に送信する。
【０１８７】
プロセッサ５０１は、バス５００の管理および通常の処理の実行を担当し、さらに、タイミング、周辺インタフェース、電圧調整、電源管理、および他の制御機能を含む様々な機能を提供することができる。メモリ５０４は、プロセッサ５０１が動作する際に利用するデータを記憶することができる
【０１８８】
好ましくは、プロセッサ５０１は、ＣＰＵ、ＡＳＩＣ、ＦＰＧＡまたは、ＣＰＬＤであることができる。
【０１８９】
実施では、ネットワーク側装置は送信装置でも受信装置でもよい。あるいは、端末は送信装置でも受信装置でもよい。ここで、図４の送信装置および図５の受信装置の機能は、エンティティ内に統合することができる（すなわち、送信装置および受信装置のモジュールはエンティティ内に統合することができる）。送信装置の機能、または受信装置の機能は、必要に応じて選択し実行することができる。例えば、プロセッサ４０１、送受信機４０２、プロセッサ５０１、および送受信機５０２は、エンティティに統合することができる。あるいは、プロセッサ４０１とプロセッサ５０１をプロセッサに統合し、トランシーバ４０２と送受信機５０２を送受信機に統合し、エンティティに統合することができる。
【０１９０】
同様な発明思想に基づき、本発明の実施例は、ビームをトレーニングする方法をさらに提供し、当該方法に対応する装置が本発明の実施例に係るビームをトレーニングするシステム中的送信装置であり、かつ、当該方法の課題解決原理は、当該装置と類似するため、当該方法の実施は、装置の実施を参照することができ、繰り返して説明しない。
【０１９１】
図６に示すように、本発明の実施例に係る送信装置側のビームをトレーニングする方法は、
送信装置が、送信ビームトレーニング信号に対応する送信ビームを確定するステップ６００と、
前記送信装置が、前記送信ビームトレーニング信号に対応する送信ビームを使用して、前記送信ビームトレーニング信号を受信装置に送信するステップ６０１と、
前記送信装置が、受信ビームトレーニング信号に対応する送信ビームを確定するステップ６０２と、
前記送信装置が、前記受信ビームトレーニング信号に対応する送信ビームを使用して、前記受信ビームトレーニング信号を前記受信装置に送信するステップ６０３とを備える。
【０１９２】
好ましくは、前記送信装置は、受信された前記受信装置によりフィードバックされた送信ビーム情報報告に基づき、受信ビームトレーニング信号に対応する送信ビームを確定する。
【０１９３】
好ましくは、前記送信装置は、受信ビームトレーニング信号に対応する送信ビームを確定した後、前記送信装置は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信する。
【０１９４】
好ましくは、前記送信ビームトレーニング信号に対応する送信ビームは、全部の送信ビーム、または、一部の送信ビームを含み、前記一部の送信ビームは、全部の送信ビームから抽出された少なくとも１つの方向の送信ビームであり、及び/または、前記受信装置によってフィードバックされた受信送信ビーム情報報告に基づいて送信装置によって確定された少なくとも１つの送信ビームの隣接方向の送信ビームであり、前記送信ビーム情報報に対応する送信ビームは、前記受信装置が受信された送信ビームトレーニング信号により選択された送信ビームである。
【０１９５】
好ましくは、前記送信装置が、前記送信ビームトレーニング信号に対応する送信ビームで送信ビームトレーニング信号を受信装置に送信する前、前記送信装置は、前記受信装置が、前記第１の送信ビーム情報に基づき、前記送信ビームに対応するビームトレーニング信号を受信するように、前記送信ビームトレーニング信号に対応する送信ビームの第１の送信ビーム情報を前記受信装置に送信する。
【０１９６】
好ましくは、前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含む。
【０１９７】
好ましくは、前記送信装置が、前記受信ビームトレーニング信号に対応する送信ビームを使用して、前記受信ビームトレーニング信号を前記受信装置に送信する前、前記送信装置は、前記受信装置が、前記第２の送信ビーム情報に基づき、確定された送信ビームに対応する受信ビームトレーニング信号を受信するように、前記受信ビームトレーニング信号に対応する送信ビームの第２の送信ビーム情報を前記受信装置に送信する。
【０１９８】
好ましくは、前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含む。
【０１９９】
好ましくは、前記送信装置は、前記第１の送信ビーム情報及び前記第２の送信ビーム情報を異なるシグナリングに含ませて前記受信装置に送信するか、または、前記送信装置は、前記第１の送信ビーム情報及び前記第２の送信ビーム情報を同一のシグナリングに含ませて前記受信装置に送信する。
【０２００】
好ましくは、前記送信装置が、前記受信ビームトレーニング信号に対応する送信ビームを使用して、前記受信ビームトレーニング信号を前記受信装置に送信する場合、前記受信装置が１つの受信ビームで１つの送信ビームに対応する受信ビームトレーニング信号を受信するとき、前記送信装置は、前記受信ビームトレーニング信号を数回送信する。
【０２０１】
好ましくは、当該方法では、前記送信装置により受信された前記送信ビーム情報報告に送信装置の識別番号が含まれば、前記送信装置は、前記送信装置の識別番号に基づき、受信された前記送信ビーム情報報告に対応する送信ビームの所属の送信装置を確定し、前記送信装置により受信された前記送信ビーム情報報告に送信装置の識別番号が含まれず、かつ前記送信ビーム情報報告に送信ビームトレーニング信号のインデックスが含まれば、前記送信装置は、前記送信ビーム情報報告に含まれる送信ビームトレーニング信号のインデックスと所属する送信装置との対応関係に基づき、受信された前記送信ビーム情報報告に対応する送信ビームの所属の送信装置を確定する。
【０２０２】
好ましくは、前記送信装置は、前記送信ビームトレーニング信号に対応する送信ビームを使用して、前記送信ビームトレーニング信号を、受信装置に送信するステップを周期的または非周期的に実行し、及び/または、前記送信装置は、前記受信ビームトレーニング信号に対応する送信ビームを使用して、前記受信ビームトレーニング信号を前記受信装置に送信するステップを周期的または非周期的に実行する。
【０２０３】
同様な発明思想に基づき、本発明の実施例は、ビームをトレーニングする方法をさらに提供し、当該方法に対応する装置は、本発明の実施例に係るビームをトレーニングするシステム内の受信装置であり、かつ、当該方法の課題解決原理は、当該装置と類似するため、当該方法の実施は、装置の実施を参照することができ、繰り返して説明しない。
【０２０４】
図７に示すように、本発明の実施例に係る受信装置側のビームをトレーニングする方法は、
受信装置が、少なくとも１つの受信ビームにより、送信装置からの送信ビームに対応する送信ビームトレーニング信号を受信するステップ７００と、
前記受信装置が、前記送信ビームトレーニング信号に対応する送信ビームから少なくとも１つの送信ビームを選択して、選択された第１の送信ビームにより確定された送信ビーム情報報告を前記送信装置にフィードバックするステップ７０１と、
前記受信装置が、少なくとも１つの受信ビームにより、前記送信装置から送信された受信ビームトレーニング信号を受信するステップ７０２と、
前記受信装置が、少なくとも１つの受信ビームにより受信されたビームトレーニング信号に基づき、少なくとも１つの受信ビームを選択された受信ビームとして確定するステップ７０３とを備える。
【０２０５】
好ましくは、前記受信装置が、少なくとも１つの受信ビームを選択された受信ビームとして確定した後、前記受信装置は、次回の受信ビームトレーニング信号を受信する前、選択された受信ビームを使用して前記送信装置からのデータを受信する。
【０２０６】
好ましくは、前記送信ビーム情報報告には、選択された送信ビームにより確定されたビームトレーニング信号のリソースインデックスが含まれる。
【０２０７】
好ましくは、前記受信装置が、少なくとも１つの受信ビームにより、送信装置からの送信ビームに対応する送信ビームトレーニング信号を受信する前、前記受信装置は、第１の送信ビーム情報を確定し、前記受信装置が、少なくとも１つの受信ビームにより、送信装置からの送信ビームに対応する送信ビームトレーニング信号を受信する場合、前記受信装置は、第１の送信ビーム情報に基づき、少なくとも１つの受信ビームにより、送信装置からの送信ビームに対応する送信ビームトレーニング信号を受信する。
【０２０８】
好ましくは、前記受信装置が第１の送信ビーム情報を確定する場合、前記受信装置は、送信装置からの第１の送信ビーム情報を受信するを確定する。
【０２０９】
好ましくは、前記受信装置が、前記送信ビームトレーニング信号に対応する送信ビームから少なくとも１つの送信ビームを選択する場合、前記受信装置は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、前記受信装置が、異なる受信ビーム受信された受信ビームトレーニング信号により、少なくとも１つの受信ビームを選択された受信ビームとして確定する場合、前記受信装置は、少なくとも１つの受信ビームにより受信された受信ビームトレーニング信号のパフォーマンスインデックスパラメータに基づき、受信ビームから少なくとも１つの受信ビームを選択された受信ビームとして確定する。
【０２１０】
好ましくは、前記パフォーマンスインデックスパラメータには、受信電力及び/または、受信信号対雑音比が含まれる。
【０２１１】
好ましくは、前記受信装置が、少なくとも１つの受信ビームにより、送信装置からの送信ビームに対応する送信ビームトレーニング信号を受信する場合、前記受信装置に選択された受信ビーム情報がなければ、前記受信装置は、１つまたは複数の受信ビームを使用して、送信装置からのそれぞれの送信ビームに対応する送信ビームトレーニング信号を受信し、または、前記受信装置に選択された受信ビーム情報があり、かつ受信ビームが１つの送信ビームに対応する送信ビームトレーニング信号を受信すれば、前記受信装置は、１つまたは複数の受信ビームを使用して、送信装置からの送信ビームに対応する送信ビームトレーニング信号を受信し、または、前記受信装置に選択された受信ビーム情報があり、かつ複数の受信ビームで１つの送信ビームに対応する送信ビームトレーニング信号を受信すれば、前記受信装置は、選択された受信ビーム情報に対応する複数の受信ビームを使用して、送信装置からのそれぞれの送信ビームに対応する送信ビームトレーニング信号を受信する。
【０２１２】
好ましくは、前記受信装置が、前記送信ビームトレーニング信号に対応する送信ビームから少なくとも１つの送信ビームを選択した後、かつ、選択された送信ビームにより確定された送信ビーム情報報告を前記送信装置にフィードバックする前、前記第１の送信ビーム情報に送信装置の識別番号が含まれれば、前記受信装置は、選択された送信ビームの所属の送信装置の識別番号を前記送信ビーム情報報告に含ませる。
【０２１３】
好ましくは、前記受信装置が、少なくとも１つの受信ビームにより、前記送信装置から送信された受信ビームトレーニング信号を受信する前、前記受信装置は、第２の送信ビーム情報を確定し、前記受信装置が、少なくとも１つの受信ビームにより、前記送信装置から送信された受信ビームトレーニング信号を受信する場合、前記受信装置は、第２の送信ビーム情報に基づき、少なくとも１つの受信ビームにより、前記送信装置から送信された受信ビームトレーニング信号を受信する。
【０２１４】
好ましくは、前記受信装置が第２の送信ビーム情報を確定する場合、前記受信装置は、受信送信装置からの受信された第２の送信ビーム情報を確定する。
【０２１５】
好ましくは、前記受信装置は、少なくとも１つの受信ビームにより、送信装置からの送信ビームに対応する受信ビームトレーニング信号を受信する場合、前記受信装置が送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一個の受信ビームトレーニング信号を受信し、または、前記受信装置が送信装置からの１つの送信ビームに対応する受信ビームトレーニング信号を受信するとき、複数の受信ビームで１つの送信ビームに対応する受信ビームトレーニング信号を受信する。
【０２１６】
同様な発明思想に基づき、本発明の実施例に係るコンピュータ記憶媒体は、上記送信装置により実行される方法のうちのいずれかの１つを前記コンピュータに実行させるように構成されたコンピュータ実行可能命令を格納する。
【０２１７】
同様な発明思想に基づき、本発明の実施例に係るコンピュータ記憶媒体は、上記送信装置により実行される方法のうちのいずれかの１つを前記コンピュータに実行させるように構成されたコンピュータ実行可能命令を格納する。
【０２１８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０２１９】
これらのコンピュータプログラム指令は又、コンピュータまたは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０２２０】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０２２１】
上述した実施形態に記述された技術的な解決手段を改造し、またはその中の一部の技術要素を置換することもできる。そのような、改造と置換は本発明の各実施形態の技術の範囲から逸脱するとは見なされない。
【０２２２】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０２２３】
本出願は、２０１６年８月１２日に中国特許局に提出し、出願番号が２０１６１０６６６０２０.１であり、発明名称が「ビームをトレーニングする方法及び装置」との中国特許出願を基礎とする優先権を主張し、その開示の総てをここに取り込む。
【符号の説明】
【０２２４】
１０  送信装置
２０  受信装置
２００  第１のビーム確定モジュール
２０１  送信モジュール
２０２  第２のビーム確定モジュール
３００  信号受信モジュール
３０１  第１の処理モジュール
３０２  第２の処理モジュール
【図１Ａ】
2019531635.tif 000003
【図１Ｂ】
2019531635.tif 000004
【図２】
2019531635.tif 000005
【図３】
2019531635.tif 000006
【図４】
2019531635.tif 000007
【図５】
2019531635.tif 000008
【図６】
2019531635.tif 000009
【図７】
2019531635.tif 000010
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
送信装置が、送信ビームトレーニング信号に対応する送信ビームを確定するステップと、
前記送信装置が、前記送信ビームトレーニング信号に対応する送信ビームを使用して、前記送信ビームトレーニング信号を受信装置に送信するステップと、
前記送信装置が、受信ビームトレーニング信号に対応する送信ビームを確定するステップと、
前記送信装置が、前記受信ビームトレーニング信号に対応する送信ビームを使用して、前記受信ビームトレーニング信号を前記受信装置に送信するステップとを備えることを特徴とするビームをトレーニングする方法。
【請求項２】
前記送信装置が受信ビームトレーニング信号に対応する送信ビームを確定する場合、
前記送信装置は、受信された前記受信装置によりフィードバックされた送信ビーム情報報告に基づき、受信ビームトレーニング信号に対応する送信ビームを確定することを特徴とする請求項１に記載のビームをトレーニングする方法。
【請求項３】
前記送信装置は、受信ビームトレーニング信号に対応する送信ビームを確定した後、
前記送信装置は、次回の前記受信装置によりフィードバックされた送信ビーム情報報告を受信する前、前記受信装置によりフィードバックされた送信ビーム情報報告に基づいて確定された送信ビームを使用して前記受信装置にデータを送信することを特徴とする請求項１に記載のビームをトレーニングする方法。
【請求項４】
前記送信ビームトレーニング信号に対応する送信ビームは、全部の送信ビーム、または、一部の送信ビームを含み、
前記一部の送信ビームは、全部の送信ビームから抽出された少なくとも１つの方向の送信ビームであり、及び/または、
前記受信装置によってフィードバックされた受信送信ビーム情報報告に基づいて送信装置によって確定された少なくとも１つの送信ビームの隣接方向の送信ビームであり、前記送信ビーム情報報告に対応する送信ビームは、前記受信装置が受信された送信ビームトレーニング信号により選択された送信ビームであることを特徴とする請求項１に記載のビームをトレーニングする方法。
【請求項５】
前記送信装置が、前記送信ビームトレーニング信号に対応する送信ビームを使用して、前記送信ビームトレーニング信号を、受信装置に送信する前、
前記送信装置は、前記受信装置が、第１の送信ビーム情報に基づき、前記送信ビームに対応するビームトレーニング信号を受信するように、前記送信ビームトレーニング信号に対応する送信ビームの第１の送信ビーム情報を前記受信装置に送信し、
前記第１の送信ビーム情報は、送信ビームトレーニング信号の数と、各送信ビームトレーニング信号のインデックスと、各送信ビームトレーニング信号により占有されるリソースと、各送信ビームトレーニング信号の周期と、各送信ビームトレーニング信号のトリガー情報と、各受信ビームトレーニング信号の開始情報と、各受信ビームトレーニング信号の終了情報と、各送信ビームトレーニング信号に対応する送信装置の識別番号とのうちの一部または全部を含み、
及び/または、
前記送信装置が、前記受信ビームトレーニング信号に対応する送信ビームを使用して、前記受信ビームトレーニング信号を前記受信装置に送信する前、
前記送信装置は、前記受信装置が、第２の送信ビーム情報に基づき、確定された送信ビームに対応する受信ビームトレーニング信号を受信するように、前記受信ビームトレーニング信号に対応する送信ビームの第２の送信ビーム情報を前記受信装置に送信し、
前記第２の送信ビーム情報は、受信ビームトレーニング信号の数と、各受信ビームトレーニング信号のインデックスと、各受信ビームトレーニング信号により占有されるリソースと、各受信ビームトレーニング信号の周期と、各受信ビームトレーニング信号のトリガー情報と、各受信ビームトレーニング信号の開始情報と、各受信ビームトレーニング信号の終了情報と、各受信ビームトレーニング信号に対応する送信装置の識別番号とのうちの一部または全部を含むことを特徴とする請求項１に記載のビームをトレーニングする方法。
【請求項６】
前記送信装置により受信された送信ビーム情報報告に送信装置の識別番号が含まれば、前記送信装置は、前記送信装置の識別番号に基づき、受信された前記送信ビーム情報報告に対応する送信ビームの所属の送信装置を確定し、
前記送信装置により受信された前記送信ビーム情報報告に送信装置の識別番号が含まれず、かつ前記送信ビーム情報報告に送信ビームトレーニング信号のインデックスが含まれば、前記送信装置は、前記送信ビーム情報報告に含まれる送信ビームトレーニング信号のインデックスと所属する送信装置との対応関係に基づき、受信された前記送信ビーム情報報告に対応する送信ビームの所属の送信装置を確定することを特徴とする請求項１に記載のビームをトレーニングする方法。
【請求項７】
受信装置が、少なくとも１つの受信ビームにより、送信装置からの送信ビームに対応する送信ビームトレーニング信号を受信するステップと、
前記受信装置が、前記送信ビームトレーニング信号に対応する送信ビームから少なくとも１つの送信ビームを選択して、選択された第１の送信ビームにより確定された送信ビーム情報報告を前記送信装置にフィードバックするステップと、
前記受信装置が、少なくとも１つの受信ビームにより、前記送信装置から送信された受信ビームトレーニング信号を受信するステップと、
前記受信装置が、少なくとも１つの受信ビームにより受信されたビームトレーニング信号に基づき、少なくとも１つの受信ビームを選択された受信ビームとして確定するステップとを備えることを特徴とするビームをトレーニングする方法。
【請求項８】
前記受信装置が、少なくとも１つの受信ビームを選択された受信ビームとして確定した後、
前記受信装置は、次回の受信ビームトレーニング信号を受信する前、選択された受信ビームを使用して前記送信装置からのデータを受信することを特徴とする請求項７に記載のビームをトレーニングする方法。
【請求項９】
前記受信装置が、少なくとも１つの受信ビームにより、送信装置からの送信ビームに対応する送信ビームトレーニング信号を受信する前、
前記受信装置は、第１の送信ビーム情報を確定し、
前記受信装置が、少なくとも１つの受信ビームにより、送信装置からの送信ビームに対応する送信ビームトレーニング信号を受信する場合、
前記受信装置は、第１の送信ビーム情報に基づき、少なくとも１つの受信ビームにより、送信装置からの送信ビームに対応する送信ビームトレーニング信号を受信することを特徴とする請求項７に記載のビームをトレーニングする方法。
【請求項１０】
前記受信装置が、前記送信ビームトレーニング信号に対応する送信ビームから少なくとも１つの送信ビームを選択する場合、
前記受信装置は、受信された送信ビームトレーニング信号のパフォーマンスインデックスパラメータに基づき、前記ビームトレーニング信号に対応する送信ビームから少なくとも１つの送信ビームを選択するか、または、送信ビームトレーニング信号のインデックスを選択し、及び/または、
前記受信装置は、異なる受信ビーム受信された受信ビームトレーニング信号により、少なくとも１つの受信ビームを選択された受信ビームとして確定する場合、
前記受信装置は、少なくとも１つの受信ビームにより受信された受信ビームトレーニング信号のパフォーマンスインデックスパラメータに基づき、受信ビームから少なくとも１つの受信ビームを選択された受信ビームとして確定し、
前記パフォーマンスインデックスパラメータには、受信電力及び/または、受信信号対雑音比が含まれることを特徴とする請求項７に記載のビームをトレーニングする方法。
【請求項１１】
前記受信装置が、受信装置は、少なくとも１つの受信ビームにより、送信装置からの送信ビームに対応する送信ビームトレーニング信号を受信する場合、
前記受信装置に選択された受信ビーム情報がなければ、前記受信装置は、１つまたは複数の受信ビームを使用して、送信装置からのそれぞれの送信ビームに対応する送信ビームトレーニング信号を受信し、または、
前記受信装置に選択された受信ビーム情報があり、かつ受信ビームが１つの送信ビームに対応する送信ビームトレーニング信号を受信すれば、前記受信装置は、１つまたは複数の受信ビームを使用して、送信装置からの送信ビームに対応する送信ビームトレーニング信号を受信し、または、
前記受信装置に選択された受信ビーム情報があり、かつ複数の受信ビームで１つの送信ビームに対応する送信ビームトレーニング信号を受信すれば、前記受信装置は、選択された受信ビーム情報に対応する複数の受信ビームを使用して、送信装置からのそれぞれの送信ビームに対応する送信ビームトレーニング信号を受信することを特徴とする請求項７に記載のビームをトレーニングする方法。
【請求項１２】
前記受信装置が、前記送信ビームトレーニング信号に対応する送信ビームから少なくとも１つの送信ビームを選択した後、かつ、選択された送信ビームにより確定された送信ビーム情報報告を前記送信装置にフィードバックする前、
第１の送信ビーム情報に送信装置の識別番号が含まれば、前記受信装置は、選択された送信ビームの所属の送信装置の識別番号を前記送信ビーム情報報告に含ませることを特徴とする請求項７に記載のビームをトレーニングする方法。
【請求項１３】
前記受信装置が、少なくとも１つの受信ビームにより、前記送信装置から送信された受信ビームトレーニング信号を受信する前、
前記受信装置は、第２の送信ビーム情報を確定し、
前記受信装置が、少なくとも１つの受信ビームにより、前記送信装置から送信された受信ビームトレーニング信号を受信する場合、
前記受信装置は、第２の送信ビーム情報に基づき、少なくとも１つの受信ビームにより、前記送信装置から送信された受信ビームトレーニング信号を受信することを特徴とする請求項７に記載のビームをトレーニングする方法。
【請求項１４】
前記受信装置は、少なくとも１つの受信ビームにより、送信装置からの送信ビームに対応する受信ビームトレーニング信号を受信する場合、
前記受信装置が送信装置からの１つの送信ビームに対応するビームトレーニング信号を受信するとき、複数の受信ビームで１つの送信ビームに対応する複数の受信ビームトレーニング信号を受信し、受信するたびに、受信ビームで１つの送信ビームに対応する一个受信ビームトレーニング信号を受信し、または、
前記受信装置が送信装置からの１つの送信ビームに対応する受信ビームトレーニング信号を受信するとき、複数の受信ビームで１つの送信ビームに対応する受信ビームトレーニング信号を受信することを特徴とする請求項７に記載のビームをトレーニングする方法。
【請求項１５】
送信ビームトレーニング信号に対応する送信ビームを確定する第１のビーム確定モジュールと、
前記第１のビーム確定モジュールにより確定された送信ビームを使用して前記送信ビームトレーニング信号を受信装置に送信し、かつ、第２のビーム確定モジュールにより確定された送信ビームを使用して受信ビームトレーニング信号を前記受信装置に送信する送信モジュールと、
受信ビームトレーニング信号に対応する送信ビームを確定する第２のビーム確定モジュールとを備えることを特徴とするビームをトレーニングする送信装置。
【請求項１６】
少なくとも１つの受信ビームにより、送信装置からの送信ビームに対応する送信ビームトレーニング信号を受信し、かつ、少なくとも１つの受信ビームにより、前記送信装置から送信された受信ビームトレーニング信号を受信する信号受信モジュールと、
前記送信ビームトレーニング信号に対応する送信ビームから少なくとも１つの送信ビームを選択して、選択された第１の送信ビームにより確定された送信ビーム情報報告を前記送信装置にフィードバックする第１の処理モジュールと、
少なくとも１つの受信ビームにより受信されたビームトレーニング信号に基づき、少なくとも１つの受信ビームを選択された受信ビームとして確定する第２の処理モジュールと、を備えることを特徴とするビームをトレーニングする受信装置。
【国際調査報告】
2019531635.tif 000011
2019531635.tif 000012
2019531635.tif 000013
2019531635.tif 000014